(57)【要約】【課題】使用者が希望するようにテーブルを回転できる円卓構造を提供すること。【解決手段】天板および脚を有する円卓本体の脚の内部には伝動装置が設けられ、前記天板上には伝動装置と接続するターンテーブルが設けられ、前記ターンテーブルには複数の領域が設けられるとともに、前記テーブル面（天板）には制御ボタンが内蔵された制御ボックスが複数組設けられ、前記複数組の制御ボックスがともに制御回路に接続され、かつ、前記制御回路が伝動装置に接続され、このようにして、料理がターンテーブルに並べられると、食事する者が制御ボックス内の制御ボタンを押すことにより、ターンテーブルの回転を制御して食事する者に便利を与える。【選択図】図１
0003131871.tif 000002
【実用新案登録請求の範囲】
【請求項１】
天板および脚を有する円卓本体が設けられ、
前記脚の内部には伝動装置が設けられ、
前記天板上には伝動装置と接続するターンテーブルが設けられ、
前記ターンテーブルには複数の領域が設けられるとともに、前記天板面には制御ボタンが内蔵された制御ボックスが複数組設けられ、
制御ボックス内の制御ボタンを押すと、ターンテーブルの回転を制御し得るように、前記複数組の制御ボックスがともに制御回路に接続され、かつ、前記制御回路が伝動装置に接続されていることを特徴とする円卓構造。
【請求項２】
前記ターンテーブル上に設けられた複数の領域が、区別し易い記号が設けられたことを特徴とする請求項１に記載の円卓構造。
【請求項３】
前記制御ボックス内には複数のボタンが設けられ、その内の３つが、起動ボタンや一時停止ボタンおよび停止ボタンに設けられ、残りのボタンはターンテーブルの各領域のそれぞれを対応して制御することを特徴とする請求項２に記載の円卓構造。
【請求項４】
前記ターンテーブルの二つの領域の間には、調味料を収納するための凹溝が別に設けられたことを特徴とする請求項２に記載の円卓構造。
【請求項５】
前記ターンテーブルの領域毎には、料理用皿を置くための位置決め溝が設けられたことを特徴とする請求項２に記載の円卓構造。
【請求項６】
前記複数の制御ボックスは、制御回路に並列的に接続されたことを特徴とする請求項１に記載の円卓構造。
【請求項７】
前記伝動装置は、ステップモータおよび歯車を含むことを特徴とする請求項１に記載の円卓構造。
【請求項８】
前記ターンテーブルは、モータ軸の歯車に互いに噛合する枢着部が対応して設けられたことを特徴とする請求項７に記載の円卓構造。
【考案の詳細な説明】
【技術分野】
【０００１】
本考案は、より使い易い円卓の構造に係わり、様々な大型や小型のレストランの円卓または類似構造に適応できる円卓構造に関するものである。
【背景技術】
【０００２】
華人はお客様に対して非常に親しい民族であり、従来からの習慣のため、会食する時に通常は大型の円卓を選ぶことで円満で団円の象徴的な意味を持っている。
一般の大型円卓は、そのテーブル面の面積が比較的に大きく、テーブル面に料理を並べると、料理を取る時にはとても不便である。
食用をし易くするため、大型の円卓上にはターンテーブル装置が置かれていて、ターンテーブル装置を回転することにより、その上に並べられた料理の位置を変更させて食事を便利にさせている。
【０００３】
図５に示すように従来の円卓のターンテーブルは、主に、円卓上にターンテーブル装置１０が設けられている。
前記ターンテーブル装置１０は台座１１およびターンテーブル１２からなり、台座１１とターンテーブル１２との間にローリングボール１３が設けられ、ターンテーブル１２が台座１１の上に正方向や逆方向に回転できる。
しかし、前記従来のターンテーブル装置１０は、食事する者が自分でターンテーブル１２を回転することにより、個人の好みで料理を取る必要があるが、一部の人が性格的に内向で主動的でない場合は、ターンテーブル１２を回転する時にとても不自由となり、ターンテーブル１２を回転することが怖くてそのまま座り込んで、丁度前記料理が自分の前までに回って来ると、やっと取ることができる。
或いは、近隣の人との会話で自分でターンテーブル装置１０を回転する暇はなく、常に個人の好きな料理を取ることが出来なくなる。
よって、手動式のターンテーブルが実用的でない。
【０００４】
本考案は以上の点に鑑みて成されたもので、使用者が希望するようにテーブルを回転できる円卓構造を提供する。
【考案の開示】
【考案が解決しようとする課題】
【０００５】
本考案の主な目的は、使用者が選んだ方式で回転できる円卓構造を提供することにある。
【０００６】
本考案の次の目的は、自動的に回転かつ料理を取り易い円卓構造を提供することにある。
【課題を解決するための手段】
【０００７】
前記目的を達成すため、本考案は、主に、天板および脚を有する円卓本体が設けられ、前記脚の内部には伝動装置が設けられ、前記天板上には伝動装置と接続するターンテーブルが設けられ、前記ターンテーブルには複数の領域が設けられるとともに、前記テーブル面（天板）には制御ボタンが内蔵された制御ボックスが複数組設けられ、前記複数組の制御ボックスがともに制御回路に接続され、かつ、前記制御回路が伝動装置に接続され、このようにして、料理がターンテーブルに並べられると、食事する者が制御ボックス内の制御ボタンを押すことにより、ターンテーブルの回転方式を制御し、食事する者に便利を与える。
【０００８】
すなわち、本願の第１考案は、天板および脚を有する円卓本体が設けられ、前記脚の内部には伝動装置が設けられ、前記天板上には伝動装置と接続するターンテーブルが設けられ、前記ターンテーブルには複数の領域が設けられるとともに、前記天板面には制御ボタンが内蔵された制御ボックスが複数組設けられ、制御ボックス内の制御ボタンを押すと、ターンテーブルの回転を制御し得るように、前記複数組の制御ボックスがともに制御回路に接続され、かつ、前記制御回路が伝動装置に接続されていることを特徴とする円卓構造を提供する。
本願の第２考案は、前記ターンテーブル上に設けられた複数の領域が、区別し易い記号が設けられたことを特徴とする前記第１考案に記載の円卓構造を提供する。
本願の第３考案は、前記制御ボックス内には複数のボタンが設けられ、その内の３つが、起動ボタンや一時停止ボタンおよび停止ボタンに設けられ、残りのボタンはターンテーブルの各領域のそれぞれを対応して制御することを特徴とする前記第２考案に記載の円卓構造を提供する。
本願の第４考案は、前記ターンテーブルの二つの領域の間には、調味料を収納するための凹溝が別に設けられたことを特徴とする前記第２考案に記載の円卓構造を提供する。
本願の第５考案は、前記ターンテーブルの領域毎には、料理用皿を置くための位置決め溝が設けられたことを特徴とする前記第２考案に記載の円卓構造を提供する。
本願の第６考案は、前記複数の制御ボックスは、制御回路に並列的に接続されたことを特徴とする前記第１考案に記載の円卓構造を提供する。
本願の第７考案は、前記伝動装置は、ステップモータおよび歯車を含むことを特徴とする前記第１考案に記載の円卓構造を提供する。
本願の第８考案は、前記ターンテーブルは、モータ軸の歯車に互いに噛合する枢着部が対応して設けられたことを特徴とする前記第７考案に記載の円卓構造を提供する。
【考案の効果】
【０００９】
本考案は、以下の実用利点がある。
（１）（天板）テーブル面に設けた制御ボックスを介して、内部に設けたボタンを押せば、使用者の要求に応じてターンテーブルを回転することができる。
（２）従来の手動式ターンテーブルが性格の内向的な人で恥ずかしくて回転できないという従来の欠点を改善できて、ホストもお客様も含めて皆に喜びを与えることができる。
【考案を実施するための最良の形態】
【００１０】
本考案の他の特徴及び具体的な実施例は、後続の詳しく説明及び図示によりさらに理解することができる。
図１〜図３を参照しながら本考案に係る円卓構造について説明する。
円卓本体３はテーブル面（天板）３１および脚３２を有する。
前記テーブル面３１の中心位置には、比較的に小さい面積のターンテーブル３４が可動可能に枢着されている。
前記ターンテーブル３４の底部の中心位置には枢着部３４１が突設されている。
前記枢着部３４１上には対応の伝動装置が設けられる。
前記ターンテーブル３４上には必要に応じて複数の領域が設けられる。
前記領域にはカラーや数字または英文字で区画される。本例では、ターンテーブル３４を６つの領域に分け、前記６つの領域に英文字のＡ〜Ｆが記入されるとともに、領域毎に位置決め溝３４２がそれぞれ設けられている。
二つの領域の間には小さい凹溝３４３がそれぞれ設けられている。
前記小さい凹溝３４３内には七味や醤油または芥子などのソースを収納できる。
前記円卓本体３の脚３２の内部には伝動装置が設けられる。
前記伝動装置はステップモータ３２１および歯車３２２からなる。
前記歯車３２２はステップモータ３２１の軸に結合され、ターンテーブル３４の枢着部３４１と対応して互いに噛合する。
また、前記伝動装置のステップモータ３２１が制御回路３３と接続する。
【００１１】
また、制御回路３３が複数の制御ボックス３５と並列的に接続されている。
制御ボックス３５のセット数は、テーブル面３１の大きさ、人数に応じて定められる。
前記制御ボックス３５内には複数のボタンが設けられる。
本例では９つのボタンが設けられ、９つのボタンのうち、６つのボタンがターンテーブル３４のＡ〜Ｆの６つの領域に対応し、残りの３つは、機能ボタン（例えば、起動ボタン３５１、一時停止ボタン３５２および停止ボタン３５３）に対応して設けられている。
【００１２】
お客様らが着座し料理を並べ始めると、前記料理用皿がターンテーブル３４の各領域内の位置決め溝３４２に置かれ、皿を安定的に置くことができる。
この際、甲客が最も遠いＡ領域に置かれた料理を食べようとすると、制御ボックス３５内のＡボタンを押せば、ステップモータ３２１により枢着部３４１を起動させ、ターンテーブル３４のＡ領域を甲客の前に回転させる。
図３〜図４に示すように、甲客が料理を取り易くさせ、あるお客様が同一時間でＡ〜Ｆうちの異なるボタンを押すことがあれば、前記制御回路３３が、置く領域内の料理に応じてボタンを押した食事をしようとする者の前の位置に回転するように、ターンテーブル３４の回転順次を制御する。
したがって、お客様自らが恥ずかしくてターンテーブル３４を回転できないという欠点を有効に改善できる。
【００１３】
また、制御ボックス３５の機能ボタン３５１〜３５３を介してターンテーブル３４の回転方式を制御できる。
例えば、起動ボタン３５１を押した後に、前記ステップモータ３２１が起動し、ターンテーブル３４を緩やか且つ継続的に回転させるが、例えば、料理を取り難く、或いはお客さんが年上の方や動きがやや遅い幼い者または行動不便な者である時に、一時停止ボタン３５２を押せば、ターンテーブル３４を動かないように１０〜１５秒延長させて、必要性のある人に料理を取り易くさせる。
ウェイターやウェイトレスが料理を出す時に、停止ボタン３５３を押せば、ターンテーブル３４を止めて動かないようにし、料理用皿を並べ易くする。
【００１４】
また、前記テーブル面３１上のこれらの制御ボックス３５は、その内部の起動ボタン３５１が３〜５秒間継続的に押された後に、この座席の方がメイン座席に設定され、前記ターンテーブル３４の回転が止められ料理が並べられた後に、前記制御回路３３はターンテーブル３４を制御して前記料理を主座席までに回転させる。
メイン座席の長者やホストまたは賢い人から先に起動する。
以上のことは老人や賢い者を尊敬する伝統的な華人の美徳により符合するものであり、次世代の人を教育する実質の意義もある。
また、停止ボタン３５３を３〜５秒間継続的に押すと、サービスベールに替えてウェイターやウェイトレスに知らせ、前記テーブルの関連サービスを提供する。
【００１５】
以上のように本考案に係る円卓構造は、以下のような利点がある。
（天板）テーブル面に設けた制御ボックスを介して、内部に設けたボタンを押せば、ターンテーブルが使用者の要求に応じて回転できる。
従来の手動式ターンテーブルが、性格の内向的な人が恥ずかしくて回転できない欠点を改善し、ホストもお客様も皆喜ぶようにさせる。
【図面の簡単な説明】
【００１６】
【図１】本考案に係る実施例の外観斜視図である。
【図２】本考案に係る実施例の素子分解図である。
【図３】本考案に係る実施例の使用状態を示す図である。
【図４】本考案に係る実施例の使用状態を示す図である。
【図５】従来のターンテーブル装置の組合を示す断面図である。
【符号の説明】
【００１７】
３１・・・・・・テーブル面
３２・・・・・・脚
３・・・・・・・円卓本体
３４・・・・・・ターンテーブル
３４１・・・・・枢着部
３４２・・・・・位置決め溝
３４３・・・・・凹溝
３２１・・・・・ステップモータ
３２２・・・・・歯車
３３・・・・・・制御回路
３５・・・・・・制御ボックス
Ａ〜Ｆ・・・・・領域
３５１・・・・・起動ボタン
３５２・・・・・一時停止ボタン
３５３・・・・・停止ボタン
１０・・・・・・ターンテーブル装置
１１・・・・・・台座
１２・・・・・・ターンテーブル
１３・・・・・・ローリングボール
【図１】
0003131871.tif 000003
【図２】
0003131871.tif 000004
【図３】
0003131871.tif 000005
【図４】
0003131871.tif 000006
【図５】
0003131871.tif 000007